(57)【要約】    【課題】  使用エネルギー軽減、コスト低減、醗酵促進・堆肥化期間短縮化の可能な有機物の醗酵促進装置を提供すること。    【解決手段】  醗酵促進装置１０は、被処理物である有機廃棄物を収容し醗酵させるための醗酵槽１と、該醗酵槽１内に設けられた攪拌手段３、４とを備えてなり、該醗酵槽１には、外部光熱源を内部に採り入れるための採光手段５が設けられ、該醗酵槽１内部には該採光手段５から採り入れられた熱を蓄熱するための蓄熱手段（蓄熱媒体３０等によりなる）が設けられていることを、主たる構成とする。【選択図】  図２
2005263563.tif 000002
【特許請求の範囲】
【請求項１】
有機廃棄物を醗酵させて堆肥化するための醗酵促進装置であって、該装置は、被処理物である有機廃棄物を収容し醗酵させるための醗酵槽と、該醗酵槽内に設けられた攪拌手段とを備えてなり、該醗酵槽には、外部光熱源を内部に採り入れるための採光手段が設けられ、該醗酵槽内部には該採光手段から採り入れられた熱を蓄熱するための蓄熱手段が設けられていることを特徴とする、醗酵促進装置。
【請求項２】
前記採光手段は、前記醗酵槽において前記光熱源の照射を受けることのできる部位に設けられた採光窓であることを特徴とする、請求項１に記載の醗酵促進装置。
【請求項３】
前記蓄熱手段は、前記攪拌手段において設けられていることを特徴とする、請求項１または２に記載の醗酵促進装置。
【請求項４】
前記攪拌手段は、周囲に攪拌板の周設された攪拌軸からなることを特徴とする、請求項１ないし３のいずれかに記載の醗酵促進装置。
【請求項５】
前記攪拌軸は中空軸であり、該軸内に蓄熱媒体が収容されており、もって前記蓄熱手段を成すことを特徴とする、請求項４に記載の醗酵促進装置。
【請求項６】
前記醗酵槽内部は二以上の収容室からなり、各収容室ごとに被処理物や醗酵処理物の出入を行うことのできる出入口が設けられており、各収容室ごとに前記攪拌板が設けられていることを特徴とする、請求項４または５に記載の醗酵促進装置。
【請求項７】
前記醗酵槽は断熱構造を備えてなることを特徴とする、請求項１ないし６のいずれかに記載の醗酵促進装置。
【請求項８】
前記断熱構造は内壁部に塗着された保温材からなることを特徴とする、請求項７に記載の醗酵促進装置。
【請求項９】
前記醗酵槽にはそれぞれ独立して回転操作できる、前記攪拌手段の攪拌軸と、該醗酵槽自体を回転させるための醗酵槽回転軸が設けられていることを特徴とする、請求項４ないし８のいずれかに記載の醗酵促進装置。
【請求項１０】
前記攪拌軸と前記醗酵槽回転軸にはいずれも、前記醗酵槽外部からこれらを回転操作するための回転操作部が設けられていることを特徴とする、請求項９に記載の醗酵促進装置。
【請求項１１】
前記醗酵槽には、内部で発生する臭気を除去するための脱臭装置が取り付けられていることを特徴とする、請求項１ないし１０のいずれかに記載の醗酵促進装置。
【請求項１２】
前記脱臭装置は、該装置への吸排気に用いることのできるファンならびにこれを駆動するための駆動部と、該ファンにより導入された臭気または処理後に該ファンにより処理済み空気として排気されるべき臭気を除去処理するための脱臭用フィルター部とを備えていることを特徴とする、請求項１１に記載の醗酵促進装置。
【請求項１３】
前記脱臭用フィルター部は、該臭気の成分を分解処理できる触媒物質を用いてなることを特徴とする、請求項１２に記載の醗酵促進装置。
【請求項１４】
前記駆動部は、太陽電池を電源として作動することを特徴とする、請求項１２または１３に記載の醗酵促進装置。
【発明の詳細な説明】
【技術分野】
【０００１】
本発明は醗酵促進装置
に係り、特に、有機廃棄物を低コストで、かつ短期間に堆肥化するための醗酵促進装置に関する。
【背景技術】
【０００２】
従来から、生ごみ、雑草、糞尿、その他の有機廃棄物を処理して堆肥化するための装置・方法が、多く提案されている。
特許出願等がなされている例を見ても、簡便な取り扱い等を目的とした「回転型堆肥醗酵タンク」（特許文献１）、分解処理効率向上と排ガス消臭を目的とした「有機廃棄物処理方法及び装置」（特許文献２）、ヒートポンプにより除湿とその後の加熱の効率化を図った「有機廃棄物処理装置」（特許文献３）、数種の微生物群を適宜ブレンドする等して迅速な減容化を図った「有機廃棄物の処理方法および処理装置」（特許文献４）、その他相当多数の提案が、従来なされている。
【０００３】
【特許文献１】登録実用新案第３０３０９４２号。要約、実用新案登録請求の範囲、図３。
【特許文献２】特開２００１−３３４２３６号公報。要約。
【特許文献３】特開２０００−８７８４０号公報。要約。
【特許文献４】特開２００１−１８７３７５号公報。要約。
【発明の開示】
【発明が解決しようとする課題】
【０００４】
さて、従来の有機廃棄物醗酵堆肥化促進装置として、ある程度効率的な堆肥化処理がなされるものとしては、電気ヒーターやバーナー等を利用して、醗酵を促進するための送風機能を備えたものが知られている。しかしながらこのような装置は、季節変化等による温度変化とは関わりなく、高温時にも低温時にも通常一定のコストを要するという問題がある。
【０００５】
また、廃棄物分解処理という環境負荷低減の取り組みのために、電力・燃料の大量消費という環境負荷増大を招く手段をもってすることとなり、望ましくない。さらに、装置構成が複雑で相応のコストもかかり、一般への普及は進んでいないのが現状である。
【０００６】
一方、特許文献の中にも挙げたように、コスト低減を図った回転容器等もあるが、攪拌機能は不充分であり、堆肥化に相当の時間を要することとなるため、利点に乏しく、これもまた一般には普及していない現状である。
【０００７】
上述の特許文献に示された提案も含め、有効に、使用エネルギー軽減とコスト低減を図ることができ、かつ、醗酵促進・堆肥化期間を短縮できるような技術は、見あたらない。
【０００８】
本発明が解決しようとする課題は、このような従来技術の問題点を除き、使用エネルギー軽減とコスト低減を実現することができ、かつ、醗酵促進・堆肥化期間を短縮することのできる、有機物堆肥化のための醗酵促進装置を提供することである。
【課題を解決するための手段】
【０００９】
本願発明者は上記課題について鋭意検討した結果、自然界の熱エネルギーを有効に取り込み、これを利用することによって上記課題の解決が可能であることを見出し、本発明に至った。すなわち、上記課題を解決するための手段として本願で特許請求される発明は、以下のとおりである。
【００１０】
（１）  有機廃棄物を醗酵させて堆肥化するための醗酵促進装置であって、該装置は、被処理物である有機廃棄物を収容し醗酵させるための醗酵槽と、該醗酵槽内に設けられた攪拌手段とを備えてなり、該醗酵槽には、外部光熱源を内部に採り入れるための採光手段が設けられ、該醗酵槽内部には該採光手段から採り入れられた熱を蓄熱するための蓄熱手段が設けられていることを特徴とする、醗酵促進装置。
（２）  前記採光手段は、前記醗酵槽において前記光熱源の照射を受けることのできる部位に設けられた採光窓であることを特徴とする、（１）に記載の醗酵促進装置。
（３）  前記蓄熱手段は、前記攪拌手段において設けられていることを特徴とする、（１）または（２）に記載の醗酵促進装置。
（４）  前記攪拌手段は、周囲に攪拌板の周設された攪拌軸からなることを特徴とする、（１）ないし（３）のいずれかに記載の醗酵促進装置。
（５）  前記攪拌軸は中空軸であり、該軸内に蓄熱媒体が収容されており、もって前記蓄熱手段を成すことを特徴とする、（４）に記載の醗酵促進装置。
【００１１】
（６）  前記醗酵槽内部は二以上の収容室からなり、各収容室ごとに被処理物や醗酵処理物の出入を行うことのできる出入口が設けられており、各収容室ごとに前記攪拌板が設けられていることを特徴とする、（４）または（５）に記載の醗酵促進装置。
（７）  前記醗酵槽は断熱構造を備えてなることを特徴とする、（１）ないし（６）のいずれかに記載の醗酵促進装置。
（８）  前記断熱構造は内壁部に塗着された保温材からなることを特徴とする、（７）に記載の醗酵促進装置。
（９）  前記醗酵槽にはそれぞれ独立して回転操作できる、前記攪拌手段の攪拌軸と、該醗酵槽自体を回転させるための醗酵槽回転軸が設けられていることを特徴とする、請求項４ないし８のいずれかに記載の醗酵促進装置。
（１０）  前記攪拌軸と前記醗酵槽回転軸にはいずれも、前記醗酵槽外部からこれらを回転操作するための回転操作部が設けられていることを特徴とする、（９）に記載の醗酵促進装置。
【００１２】
（１１）  前記醗酵槽には、内部で発生する臭気を除去するための脱臭装置が取り付けられていることを特徴とする、（１）ないし（１０）のいずれかに記載の醗酵促進装置。
（１２）  前記脱臭装置は、該装置への吸排気に用いることのできるファンならびにこれを駆動するための駆動部と、該ファンにより導入された臭気または処理後に該ファンにより処理済み空気として排気されるべき臭気を除去処理するための脱臭用フィルター部とを備えていることを特徴とする、請求項１１に記載の醗酵促進装置。
（１３）  前記脱臭用フィルター部は、該臭気の成分を分解処理できる触媒物質を用いてなることを特徴とする、（１２）に記載の醗酵促進装置。
（１４）  前記駆動部は、太陽電池を電源として作動することを特徴とする、（１２）または（１３）に記載の醗酵促進装置。
【発明の効果】
【００１３】
本発明の醗酵促進装置は上述のように構成されるため、これによれば、使用エネルギー軽減とコスト低減を実現することができ、かつ、醗酵促進・堆肥化期間を短縮することができる。
【００１４】
また、本発明の醗酵促進装置によれば、下記の各効果を得ることもできる。
（ｉ）分離された収容室ごとに出入口の開閉が可能であるため、醗酵槽内部の温度維持が良好になされる。
（ii）醗酵・分解過程や所要時間の異なる有機廃棄物などを種類ごとに分離して投入し、処理することができる。
（iii）醗酵槽を回転させることによって、処理後の内容物全量を容易に取り出すことができるとともに、醗酵・分解状況に応じて、分別取り出しすることができる。
【００１５】
（iv）醗酵槽を断熱構造とすることにより、寒冷地・暖地に関わらず、また季節変化・温度変化に関わらず、内部の温度を保持することができる。
（ｖ）脱臭装置を備えることにより、有機廃棄物の分解過程で発生する臭気を効果的に除去することができる。
【００１６】
（vi）装置の、電力等のエネルギー消費は相当低減できるか、または実質的にゼロとすることも可能であり、脱臭装置の駆動に太陽電池を用いることができることとも相俟って、装置全体の消費エネルギーを相当低減でき、環境負荷低減につながり、また製品・商品のイメージ向上にもつながる。
【００１７】
（vii）有機廃棄物の醗酵・分解能力の高い微生物を用いることにより、簡易かつ低エネルギー消費の構造を有する本装置における醗酵促進効果を、一層増すことができ、環境負荷低減・リサイクル支援装置として、高い普及度が期待できる。たとえば、かかる微生物の例としては、本願発明者の一人による「水産系廃棄物の分解処理剤」（特開２００３−２７５７２１）等が挙げられる。
【発明を実施するための最良の形態】
【００１８】
以下、本発明を図面により詳細に説明する。説明において、同一の符号により示される構成要素は、基本的に同一または共通の機能を有するものである。
図１は、本発明の醗酵促進装置の軸端面方向からの基本的な断面構成を示す説明図である。また、
図２は、本発明の醗酵促進装置の醗酵槽横断面方向からの基本的な断面構成を示す説明図である。これらの図において本醗酵促進装置１０は、被処理物である有機廃棄物を収容し醗酵させるための醗酵槽１と、該醗酵槽１内に設けられた攪拌手段３、４とを備えてなり、該醗酵槽１には、外部光熱源を内部に採り入れるための採光手段５が設けられ、該醗酵槽１内部には該採光手段５から採り入れられた熱を蓄熱するための蓄熱手段（後述する蓄熱媒体３０等によりなる）が設けられていることを、主たる構成とする（上記（１）の発明）。
【００１９】
図において本発明の醗酵促進装置１０は上述のように構成されるため、被処理物である有機廃棄物は醗酵槽１に収容され、これに適宜の微生物等の発酵分解用基材が混入されて醗酵処理がなされるが、その際、該醗酵槽１内に設けられた攪拌手段３、４により、被処理物である有機廃棄物は攪拌されて、醗酵・分解反応が促進される。また、該採光手段５により、太陽光などの外部光熱源が醗酵槽１内部に採り入れられ、該醗酵槽１内部は採り入れられた熱によって温度が高まり、被処理物の醗酵・分解過程が促進される。また、採り入れられた熱は、該蓄熱媒体３０等によりなる該蓄熱手段によって蓄熱されて、該醗酵槽１内部の温度低下が防止される、または温度維持がなされる。
【００２０】
外部光熱源として太陽光など自然エネルギーを利用することにより、他の電気エネルギーや燃焼エネルギーの使用を相当低減または皆無とすることができ、低エネルギー消費の状態で、装置を運転でき、有機廃棄物の醗酵・分解処理を促進し、堆肥化を得ることができる。つまり、基本的には電熱機器等を用いる必要がない。
【００２１】
これらの図において、該醗酵槽１は下部が円弧状の断面形状となっているが、これは被処理物の攪拌作用の均一さを得るための一例であり、本発明がかかる形状により限定されるものではない。
【００２２】
また、これらの図において、該採光手段５は装置１０の上部側に部分的に設けられた構成であるが、これも一例であり、たとえば図３を用いて後述するように醗酵槽の全体またはほぼ全体が採光可能なように構成することも、あるいはまた、部分的に設ける場合であっても異なる位置や領域の大きさでもって設けることは適宜可能であり、本発明はかかる採光手段の配設方法に限定されるものではない。
【００２３】
これらの図において、本装置１０の前記採光手段５は、前記醗酵槽１において前記光熱源の照射を受けることのできる部位に設けられた採光窓とすることができる（上記（２）の発明）。採光手段としては、窓状構造以外には、たとえば光ファイバを利用した伝送された光を用いる等の技術もあるが、装置構成をより簡易にするためには、採光窓の採用は有効である。
【００２４】
該醗酵槽１内部において被処理物の醗酵・分解を促進するために必要な熱もしくはこれに加えて光を有効に採り入れるために、対象光源の対象波長を有効に透過させる素材によって、該採光窓（５）を構成することができる。たとえば、ガラス、アクリル樹脂等による透明な材料や、赤外線透過性の材料等を、目的とする醗酵・分解に適した仕様に合わせて用いることができる。
【００２５】
該採光手段５を採光窓とすることにより、これを透して太陽光などを簡易に該醗酵槽１内部に採り入れることが可能である。採光窓の設置位置は、外部光熱源の照射を受けることのできる部位であればよい。特に、かかる照射を充分に得られる部位としては、図示するように本装置１０上面部を選択することができる。もっとも上述のように、本発明全体がかかる採光手段の配設方法に限定されるものではない。
【００２６】
該採光窓（５）を透明性の材料により構成した場合は、採光手段であるとともに、該醗酵槽１内部の被処理物の醗酵・分解状況を外部から目視により観察・確認できる手段としても用いることができる。
【００２７】
これらの図において、本装置１０の前記蓄熱手段３０は、前記攪拌手段３、４において設けられている構成とすることができる（上記（３）の発明）。後掲図３の例において説明するように、該蓄熱手段は該醗酵槽１内部の適宜の部位に配置することが可能であるが、特に攪拌手段を構成する要素に、該蓄熱手段としての機能を兼ね備えさせることができる。
【００２８】
かかる構成により、該攪拌手段（３、４）として金属など熱伝導性の高い材料を用いることによって、後述する蓄熱媒体に蓄えられた熱が円滑に該攪拌手段（３、４）に伝導され、該攪拌手段（３、４）が直接接する被処理物等（前述の、微生物等の基材を含む。）に対して有効に熱が伝導され、効果的な醗酵・分解促進を得ることができる。
【００２９】
該攪拌手段は、周囲に攪拌板４の周設された攪拌軸３から構成することができる（上記（４）の発明）。かかる構成により、該攪拌軸３が回転すると、これに周設された該攪拌板４が同時に回転し、該醗酵槽１内部の被処理物等が攪拌され、内部に採り入れられて存在する熱による温度条件とも相俟って、被処理物である有機廃棄物の醗酵・分解が促進される。
【００３０】
図１、２では、該攪拌板４の形状は矩形状であり、また、該攪拌軸３外周上の対向位置に２枚が、面方向が該攪拌軸４の軸方向と略直交して設けられているが、かかる形状、配設位置、面の配向、配設数等は一例であり、本発明はこれらに限定されるものではない。すなわち、形状を矩形以外の形状とすること、該攪拌軸４外周上にたとえば略１２０°の角度間隔で３枚の該攪拌板４を設けること、該攪拌板４の面をねじった状態で配向させること等、適宜の設計を行うことができ、それらも本発明の範囲内である。
【００３１】
これらの図において本醗酵促進装置１０は、前記攪拌軸３を中空軸とし、該軸３内に蓄熱媒体３０が収容されており、もって前記蓄熱手段を成す構成とすることができる（上記（５）の発明）。
【００３２】
かかる構成により、該攪拌軸３の中空内部に収容された該蓄熱媒体３０により、外部光熱源から採り入れられた熱が蓄えられ、これが該攪拌軸３に伝導され、かつこれに連なる前記攪拌板４に伝導され、該醗酵槽１内部の温度維持もしくは降温防止がなされて、有機廃棄物の醗酵・分解促進がなされる。
【００３３】
該蓄熱媒体３０としては、公知の適宜のものを使用することができる。    
【００３４】
該蓄熱媒体３０を、該攪拌軸３の中空内部に収容するために、装置１０外部との間で給排可能な、またはは流通可能なパイプもしくはホース等を、該攪拌軸３と連通させて設けることができる（後掲図５、６参照）。
【００３５】
図２に示すように、本発明の醗酵促進装置１０は、隔壁６１、６２等によって前記醗酵槽１内部が二以上の収容室６Ａ、６Ｂ、６Ｃ等からなり、各収容室６Ａ等ごとに、未処理の被処理物や、処理済みの醗酵処理物の出入を行うことのできる出入口２が設けられており、各収容室６Ａ等ごとに前記攪拌板４が設けられている構成とすることができる（上記（６）の発明）。この場合、該攪拌軸３は各収容室６Ａ等を貫通させて設けることができる。
【００３６】
かかる構成により、被処理物である有機廃棄物を各収容室６Ａ等ごとに分離して投入して醗酵・分解処理に供し、処理済みの醗酵処理物を各収容室６Ａ等ごとに分別して取り出すことができる。これにより、出入の際の該出入口２の開閉は各収容室６Ａごとに行えるため、該開閉に伴う該醗酵槽１内部の温度変化、特に降温変化の影響を軽減もしくは防止することができる。
【００３７】
また、醗酵・分解過程や所要時間の異なる有機廃棄物などを種類ごとに選別・分離して投入し、処理するなど、被処理物の醗酵・分解状況に応じた運転も可能となる。もちろん、全出入口２を開放しての全量出入も可能である。
【００３８】
図１、２において本装置１０は、該醗酵槽１が断熱構造を備えてなる構成とすることができる（上記（７）の発明）。これにより、該醗酵槽１内部の温度維持、降温防止効果を一層高めることができ、また、本装置１０が前記収容室６Ａ等を設ける場合には、各室６Ａ等間の断熱がなされ、前記出入口２開閉の影響を隣接する収容室６Ｂ等に及ぼさないようにすることができる。
【００３９】
該記断熱構造としては、該醗酵槽１内壁部に塗着された保温材を用いることができる（上記（８）の発明）。塗着可能な保温材の例としては、たとえば、ＦＲＰ（繊維強化プラスチック）等がある。
【００４０】
本発明の醗酵促進装置１０では、上述のように該隔壁６１等を内壁に固設することによって醗酵槽１内部を各収容室６Ａ等に区画し、さらに上述の保温材を塗着することによって、該醗酵槽１内部の熱を保持することができ、太陽等の外部光熱源、攪拌軸３中空内部に収容された蓄熱媒体（蓄熱液）による伝導熱、そして断熱構造による保温効果が働いて、有機廃棄物の醗酵・分解が促進される。
【００４１】
図２に示すように本装置１０では、該記醗酵槽１に、それぞれ独立して回転操作できる、前記攪拌手段の攪拌軸３と、該醗酵槽１自体を回転させるための醗酵槽回転軸７が設けられている構成をとることができる（上記（９）の発明）。
【００４２】
かかる構成により、該醗酵槽１内部の被処理物等の攪拌には該攪拌軸３を用いることができる。該攪拌軸３の回転は常時行う必要はなく、被処理物の醗酵・分解促進のための混ぜ返しが必要な場合、より速い醗酵処理が必要な場合、その他必要に応じて回転させればよい。したがって、動力を用いる必要はない。もっとも動力を用いることは、本発明から排除されない。
【００４３】
一方、処理後の醗酵処理物の取り出しの際には、該醗酵槽回転軸７の回転により該醗酵槽１を回転させて、前記出入口２を略下方に開放可能な位置に移動させ、該出入口２を開くことによって、簡単に該醗酵槽１内の醗酵処理物を取り出すことができる。
【００４４】
また、該攪拌軸３と該醗酵槽回転軸７を、同時に、逆方向に回転させることによって、被処理物等の攪拌を高速化し、もって醗酵・分解の一層の促進を図る用い方も可能である。
【００４５】
図３は、本発明の醗酵促進装置について図１とは別の構成を示す、断面図である。ここで本装置１０２は、被処理物である有機廃棄物を収容し醗酵させるための醗酵槽１２と、該醗酵槽１２内に設けられた攪拌手段３、４とを備えてなり、該醗酵槽１２には、外部光熱源を内部に採り入れるための採光手段２２が設けられ、該醗酵槽１２内部には該採光手段２２から採り入れられた熱を蓄熱するための蓄熱手段（蓄熱媒体３０等によりなる）が設けられた構成である。この場合、醗酵槽１２の全体をたとえば透明の材料によって構成して、該醗酵槽１２全体から採光することもできる。また、上述したように一部にこれを設けることとすることもできる。
【００４６】
図３において示すように、該蓄熱手段としては、該醗酵槽１２内部の適所、たとえば底部等に蓄熱媒体３０２を収容した収容構造３２の形態により、単独で、または該攪拌軸３における蓄熱手段と合わせて、用いることも可能である。
【００４７】
以上の図において本発明の醗酵促進装置１０等は、前記攪拌軸３と前記醗酵槽回転軸７に、それぞれ、前記醗酵槽１外部からこれらを回転操作するための回転操作部（後掲図６の５３５等）を設けた構成とすることができる（上記（１０）の発明）。これにより、装置１０等外部から容易に、該攪拌板４の回転操作、該醗酵槽１等自体の回転操作を行うことができる。ハンドル等を用いることのできる該操作部は、これを手動可能なように構成することも、あるいはまた動力により機械操作可能なように構成することもできる。
【００４８】
図４は、以上説明した本発明醗酵促進装置の一例につき、その要部を示す斜視図である。図示するように、本装置４０は、被処理物である有機廃棄物を収容し醗酵させるための醗酵槽４１と、該醗酵槽４１内に設けられた攪拌軸４３とを備えてなり、該攪拌軸４３の外周上には、対向位置に攪拌板４４が設けられている。該醗酵槽４１には、外部光熱源を内部に採り入れるための採光窓４５が設けられ、該攪拌軸４３の中空内部には該採光窓４５から採り入れられた熱を蓄熱するための蓄熱媒体（図示せず）が設けられている。該醗酵槽４１内部は、３の収容室４６Ａ、４６Ｂ、４６Ｃに区画され、該攪拌軸４３はこれら、および該醗酵槽４１を貫通して設けられている。また、該攪拌板４４は各収容室４６Ａ等ごとに設けられている。各収容室４６Ａ等にはそれぞれに独立して開閉可能な出入口４２Ａ、４２Ｂ、４２Ｃが設けられ、該採光窓４５も、各出入口４２Ａ等ごとに設けられている。
【００４９】
図５〜８は、本発明の醗酵促進装置の一例について、その概略構造を示す図である。このうち、
図５は、本発明の醗酵促進装置の一例についての、平面図である。
図６は、本発明の醗酵促進装置の一例についての、一部透視の横側面図である。
図７は、本発明の醗酵促進装置の一例についての、一部についての軸方向側面図である。
図８は、本発明の醗酵促進装置の一例についての、軸方向側面図である。
【００５０】
これらの図において本醗酵促進装置５０は、上述したような構成に加えて、前記醗酵槽５１に、内部で発生する臭気を除去するための脱臭装置５８が取り付けられた構成とすることができる（上記（１１）の発明）。
【００５１】
該脱臭装置５８は、該装置５８への吸排気に用いることのできるファン５８８、ならびにこれを駆動するための駆動部５８０と、該ファン５８８により導入された臭気または処理後に該ファン５８８により処理済み空気として排気されるべき臭気を除去処理するための脱臭用フィルター部５８２とを備えて構成することができる（上記（１２）の発明）。該脱臭用フィルター部５８２は、脱臭効果を有するフィルターを用いて構成する。脱臭作用は、物理的もしくは化学的な吸着作用によるもの、化学的な分解作用によるもの、あるいはその他適宜の方式のものを用いることができる。また、脱臭マットとして構成する、フィルターを積層させる、ヒーター５８４を設けるなど、その他の構成も適宜行うことができる。
【００５２】
また、該脱臭用フィルター部５８２には、該臭気の成分を分解処理できる触媒物質を用いることもできる（上記（１３）の発明）。たとえば、酸化チタン光触媒等である。
【００５３】
また、該駆動部５８０は、太陽電池を電源として作動させる構成とすることもできる（上記（１４）の発明）。これにより、装置５０全体としてのエネルギー消費を一層低減することができる。
【００５４】
図６に示すように本装置５０には、その攪拌軸５３の中空内部と連通して装置内外に亘って蓄熱媒体を流通させることのできる循環パイプ７３１、７３２を設けることができる。
【実施例】
【００５５】
図９、図１０に、本発明の実施例を示す。それぞれ、出入口を閉じて採光窓を上方に向けた状態の写真図、醗酵槽回転軸により醗酵槽を回転させ、出入口を下方に向けて開いた状態の写真図である。本実施例の装置により、有機廃棄物の醗酵処理試験を行ったところ、本発明の所期目的達成に充分な堆肥化期間短縮効果が得られた。具体的には、氷点下−６℃の条件下で２日目に醗酵が始まり、３日目には醗酵温度が４０℃に自己発熱をして、４日目には６０℃となり  ４日目以降は新たに有機廃棄物（うに殻、魚の残渣、鮫の頭部）を投入した。７日目は原型がなくなり  堆肥化した。使用したエネルギー等は、１日あたり、電力：１５ｗ／２４時間、（攪拌用）４００ｗ／１分間、水道水：１リットルであった。
【産業上の利用可能性】
【００５６】
本発明の醗酵促進装置は上述のように構成されるため、これによれば、使用エネルギー軽減とコスト低減を実現することができ、かつ、醗酵促進・堆肥化期間を短縮することができ、産業上利用価値が高い発明である。装置規模は、処理規模に応じて設計可能であり、食品製造、農林水産加工、その他有機廃棄物の発生する各産業分野において、簡易に設置・運転できる装置として、大いに普及が期待される。
【図面の簡単な説明】
【００５７】
【図１】本発明の醗酵促進装置の軸端面方向からの基本的な断面構成を示す説明図である。
【図２】本発明の醗酵促進装置の醗酵槽横断面方向からの基本的な断面構成を示す説明図である。
【図３】本発明の醗酵促進装置について図１とは別の構成を示す、断面図である。
【図４】以上説明した本発明醗酵促進装置の一例につき、その要部を示す斜視図である。
【図５】本発明の醗酵促進装置の一例についての、平面図である。
【図６】本発明の醗酵促進装置の一例についての、一部透視の横側面図である。
【図７】本発明の醗酵促進装置の一例についての、一部についての軸方向側面図である。
【図８】本発明の醗酵促進装置の一例についての、軸方向側面図である。
【図９】本発明の実施例について、出入口を閉じて採光窓を上方に向けた状態の写真図である。
【図１０】本発明の実施例について、醗酵槽回転軸により醗酵槽を回転させ、出入口を下方に向けて開いた状態の写真図である。
【符号の説明】
【００５８】
１０、４０、５０、９０、１０２…醗酵促進装置
１、１２、４１、５１、９１…醗酵槽
２、２２、５２、９２…出入口
３、４３、５３、９３…攪拌軸
４、４４、９４…攪拌板
５、２２、４２Ａ、４２Ｂ、４２Ｃ、５２、９２…採光手段
３０、３０２…蓄熱媒体
３２…蓄熱媒体収容構造
４５、９５…採光窓
５３５、９３５…回転操作部
５６…排水口
５７…排気口
５８…脱臭装置
５８８…ファン
５８０…駆動部
５８２…脱臭用フィルター部
５８４…ヒーター
５９…ホース
６Ａ、６Ｂ、６Ｃ、４６Ａ、４６Ｂ、４６Ｃ…収容室
６１、６２…隔壁
７…醗酵槽回転軸
７３１、７３２…循環パイプ
【図１】
2005263563.tif 000003
【図２】
2005263563.tif 000004
【図３】
2005263563.tif 000005
【図４】
2005263563.tif 000006
【図５】
2005263563.tif 000007
【図６】
2005263563.tif 000008
【図７】
2005263563.tif 000009
【図８】
2005263563.tif 000010
【図９】
2005263563.tif 000011
【図１０】
2005263563.tif 000012